(57)【要約】【課題】無線端末装置の使用者がオーディオ機器を大音量で視聴していても無線端末装置への着信に気がつくようにする。【解決手段】赤外線インタフェース１は、オーディオ機器を操作するリモコンからこのオーディオ機器の電源信号を受信して制御部２へ出力する。制御部２は、赤外線インタフェース１から電源信号を受け、着信報知手段３をユーザが予め設定した着信報知手段３から他の着信報知手段３に切り替える。切り替えた後に、赤外線インタフェース１は、オーディオ機器のリモコンからこのオーディオ機器の電源信号を受信して制御部２へ出力する。制御部２は、赤外線インタフェース１から電源信号を受け、着信報知手段３を他の着信報知手段３からユーザが予め設定した着信報知手段３に切り替える。【選択図】      図１
2004179863.tif 000002
【特許請求の範囲】
【請求項１】
オーディオ機器の状態を検出しこの検出した状態に応じて着信の報知の仕方を変更することを特徴とする無線端末装置。
【請求項２】
オーディオ機器の電源のオン・オフを検出しこの検出結果により着信報知手段を切り替えることを特徴とする無線端末装置。
【請求項３】
前記オーディオ機器の電源のオン・オフは、このオーディオ機器を操作するリモコンからこのオーディオ機器の電源信号を受信することにより検出ようにしたことを特徴とする請求項２記載の無線端末装置。
【請求項４】
オーディオ機器が出力する音の音量レベルを検出しこの検出結果により着信報知手段を切り替えることを特徴とする無線端末装置。
【請求項５】
前記オーディオ機器が出力する音の前記音量レベルは、予め備えた集音部により集音することにより検出するようにしたことを特徴とする請求項４記載の無線端末装置。
【請求項６】
前記音量レベルが予め定めたレベルより大のときに前記着信報知手段をユーザが予め設定した着信報知手段から他の着信報知手段に切り替えるようにしたことを特徴とする請求項４記載の無線端末装置。
【請求項７】
オーディオ機器が出力する音量レベルを検出しこの検出結果に応じて着信音量を調整することを特徴とする無線端末装置。
【請求項８】
オーディオ機器が出力する音量レベルを検出しこの検出した前記音量レベルの大きさに比例させて着信音量の大きさを調整することを特徴とする無線端末装置。
【請求項９】
オーディオ機器の操作を検出しこの検出結果により予め有する着信報知手段を切り替える無線端末装置であって、
前記オーディオ機器を操作するリモコンからこのオーディオ機器の電源信号を受信して出力するインタフェースと、
前記インタフェースから前記電源信号を受け、前記着信報知手段をユーザが予め設定した着信報知手段から他の着信報知手段に切り替え、切り替えた後に前記インタフェースから前記電源信号を受け、前記着信報知手段を前記他の着信報知手段からユーザが予め設定した前記着信報知手段に切り替える制御部と、
を備えたことを特徴とする無線端末装置。
【請求項１０】
オーディオ機器の操作を検出しこの検出結果により予め有する着信報知手段を切り替える無線端末装置であって、
前記オーディオ機器を操作するリモコンより出力する操作信号のフォーマットを前記オーディオ機器の複数のメーカーのメーカー名にそれぞれ対応させて格納するメモリと、
前記リモコンから前記オーディオ機器を操作する前記操作信号を受信して出力するインタフェースと、
前記インタフェースから前記操作信号を受け、予め選択された前記オーディオ機器のメーカー名に対応する操作信号フォーマットを前記メモリより取り出し、前記操作信号を前記操作信号フォーマットにより解析し、この解析結果がこの操作信号が前記オーディオ機器の電源信号であることを示すときに、前記着信報知手段を予めユーザが設定した着信報知手段から他の着信報知手段に切り替え、切り替えた後に、前記インタフェースから前記操作信号を受け、前記操作信号フォーマットを前記メモリより取り出し、この操作信号を前記操作信号フォーマットにより解析し、この解析結果がこの操作信号が前記オーディオ機器の電源信号であることを示すときに、前記着信報知手段を前記他の着信報知手段から予めユーザが設定した前記着信報知手段に切り替える制御部と、
を備えたことを特徴とする無線端末装置。
【請求項１１】
オーディオ機器が出力する音の音量レベルにより予め有する着信報知手段を切り替える無線端末装置であって、
前記オーディオ機器を操作するリモコンからこのオーディオ機器の操作信号を受信して出力するインタフェースと、
前記オーディオ機器の音を集音し音量レベルを出力する集音部と、
前記インタフェースから前記操作信号を受けたときに、前記集音部より前記音量レベルを取得し、この音量レベルが予め定めたレベルより大のときに前記着信報知手段をユーザが予め設定した着信報知手段から他の着信報知手段に切り替える制御部と、
を備えたことを特徴とする無線端末装置。
【請求項１２】
前記制御部は、切り替えた前記他の着信報知手段の着信音量を、前記集音部より取得した前記音量レベルに応じて設定するようにしたことを特徴とする請求項１１記載の無線端末装置。
【請求項１３】
前記制御部は、切り替えた前記他の着信報知手段の着信音量を、前記集音部より取得した前記音量レベルの大きさに比例させて設定するようにしたことを特徴とする請求項１１記載の無線端末装置。
【請求項１４】
前記制御部は、切り替えた前記他の着信報知手段の着信音量を予め定めた大きさに設定するようにしたことを特徴とする請求項１１記載の無線端末装置。
【請求項１５】
前記予め定めた大きさは、最大の大きさであることを特徴とする請求項１４記載の無線端末装置。
【請求項１６】
前記制御部は、前記着信報知手段をユーザが予め設定した前記着信報知手段から前記他の着信報知手段に切り替えた後に、前記集音部より取得する前記音量レベルが予め定めたレベルより小になったときに前記着信報知手段を前記他の着信報知手段からユーザが予め設定した前記着信報知手段に切り替えるようにしたことを特徴とする請求項１１から１５の何れか一項記載の無線端末装置。
【請求項１７】
前記制御部は、前記着信報知手段を前記他の着信報知手段からユーザが予め設定した前記着信報知手段に切り替えた後に、この切り替えた前記着信報知手段の前記着信音量をユーザが予め設定した音量にすることを特徴とする請求項１６記載の無線端末装置。
【請求項１８】
前記操作信号は、電源信号、音量調整信号を含むことを特徴とする請求項１１から１７の何れか一項記載の無線端末装置。
【請求項１９】
前記無線端末装置が予め有する前記着信報知手段は、スピーカ、バイブレータ、発光ダイオードを含み、前記他の着信報知手段はスピーカであることを特徴とする請求項９から１８の何れか一項記載の無線端末装置。
【請求項２０】
前記インタフェースは、赤外光を受信する赤外線インタフェースであることを特徴とする請求項９から１９の何れか一項記載の無線端末装置。
【発明の詳細な説明】
【０００１】
【発明の属する技術分野】
本発明は無線端末装置に関し、特に周囲の状況に応じて着信の報知の仕方を変更する無線端末装置に関する。
【０００２】
【従来の技術】
従来の携帯電話機やＰＨＳ等の無線端末装置は、この無線端末装置の使用者がテレビを大音量で視聴している場合に、テレビの音量が大きいため、無線端末装置への着信に使用者が気がつかないことがあった。また、近年の無線端末装置の普及は極めて著しく、現在では、赤外線インターフェイスが内蔵され、他の無線端末装置やパソコン等とデータ通信可能なものもある（例えば、特許文献１参照）。
【０００３】
【特許文献１】
特開２０００−１１５０７９号公報（請求項２、図１、図２）
【０００４】
【発明が解決しようとする課題】
上述した従来の無線端末装置は、この無線端末装置の使用者がテレビを大音量で視聴している場合に、テレビの音量が大きいため、無線端末装置への着信に使用者が気がつかないことがあるという問題がある。
【０００５】
本発明の目的はこのような従来の欠点を除去するため、無線端末装置の使用者がテレビを大音量で視聴していても無線端末装置への着信に気がつかないことのない無線端末装置を提供することにある。
【０００６】
【課題を解決するための手段】
本発明の第１の無線端末装置は、オーディオ機器の状態を検出しこの検出した状態に応じて着信の報知の仕方を変更するようにしている。
【０００７】
本発明の第２の無線端末装置は、オーディオ機器の電源のオン・オフを検出しこの検出結果により着信報知手段を切り替えるようにしている。
【０００８】
また、本発明の第２の無線端末装置において、前記オーディオ機器の電源のオン・オフは、このオーディオ機器を操作するリモコンからこのオーディオ機器の電源信号を受信することにより検出ようにしている。
【０００９】
本発明の第３の無線端末装置は、オーディオ機器が出力する音の音量レベルを検出しこの検出結果により着信報知手段を切り替えるようにしている。
【００１０】
また、本発明の第３の無線端末装置において、前記音量レベルが予め定めたレベルより大のときに前記着信報知手段をユーザが予め設定した着信報知手段から他の着信報知手段に切り替えるようにしている。
【００１１】
本発明の第４の無線端末装置は、オーディオ機器が出力する音量レベルを検出しこの検出結果に応じて着信音量を調整するようにしている。
【００１２】
本発明の第５の無線端末装置は、オーディオ機器の操作を検出しこの検出結果により予め有する着信報知手段を切り替える無線端末装置であって、
前記オーディオ機器を操作するリモコンからこのオーディオ機器の電源信号を受信して出力するインタフェースと、
前記インタフェースから前記電源信号を受け、前記着信報知手段をユーザが予め設定した着信報知手段から他の着信報知手段に切り替え、切り替えた後に前記インタフェースから前記電源信号を受け、前記着信報知手段を前記他の着信報知手段からユーザが予め設定した前記着信報知手段に切り替える制御部と、
を備えて構成されている。
【００１３】
本発明の第６の無線端末装置は、オーディオ機器の操作を検出しこの検出結果により予め有する着信報知手段を切り替える無線端末装置であって、
前記オーディオ機器を操作するリモコンより出力する操作信号のフォーマットを前記オーディオ機器の複数のメーカーのメーカー名にそれぞれ対応させて格納するメモリと、
前記リモコンから前記オーディオ機器を操作する前記操作信号を受信して出力するインタフェースと、
前記インタフェースから前記操作信号を受け、予め選択された前記オーディオ機器のメーカー名に対応する操作信号フォーマットを前記メモリより取り出し、前記操作信号を前記操作信号フォーマットにより解析し、この解析結果がこの操作信号が前記オーディオ機器の電源信号であることを示すときに、前記着信報知手段を予めユーザが設定した着信報知手段から他の着信報知手段に切り替え、切り替えた後に、前記インタフェースから前記操作信号を受け、前記操作信号フォーマットを前記メモリより取り出し、この操作信号を前記操作信号フォーマットにより解析し、この解析結果がこの操作信号が前記オーディオ機器の電源信号であることを示すときに、前記着信報知手段を前記他の着信報知手段から予めユーザが設定した前記着信報知手段に切り替える制御部と、
を備えて構成されている。
【００１４】
本発明の第７の無線端末装置は、オーディオ機器が出力する音の音量レベルにより予め有する着信報知手段を切り替える無線端末装置であって、
前記オーディオ機器を操作するリモコンからこのオーディオ機器の操作信号を受信して出力するインタフェースと、
前記オーディオ機器の音を集音し音量レベルを出力する集音部と、
前記インタフェースから前記操作信号を受けたときに、前記集音部より前記音量レベルを取得し、この音量レベルが予め定めたレベルより大のときに前記着信報知手段をユーザが予め設定した着信報知手段から他の着信報知手段に切り替える制御部と、
を備えて構成されている。
【００１５】
また、本発明の第７の無線端末装置の前記制御部は、切り替えた前記他の着信報知手段の着信音量を、前記集音部より取得した前記音量レベルに応じて設定するようにしている。
【００１６】
更に、本発明の第７の無線端末装置の前記制御部は、切り替えた前記他の着信報知手段の着信音量を予め定めた大きさに設定するようにしている。
【００１７】
また、本発明の第７の無線端末装置の前記制御部は、前記着信報知手段をユーザが予め設定した前記着信報知手段から前記他の着信報知手段に切り替えた後に、前記集音部より取得する前記音量レベルが予め定めたレベルより小になったときに前記着信報知手段を前記他の着信報知手段からユーザが予め設定した前記着信報知手段に切り替えるようにしている。
【００１８】
更に、本発明の第７の無線端末装置の前記制御部は、前記着信報知手段を前記他の着信報知手段からユーザが予め設定した前記着信報知手段に切り替えた後に、この切り替えた前記着信報知手段の前記着信音量をユーザが予め設定した音量にしている。
【００１９】
【発明の実施の形態】
次に、本発明の実施の形態について図面を参照して説明する。
【００２０】
図１は、本発明の無線端末装置の第１の実施の形態を示すブロック図である。
【００２１】
図１に示す本実施の形態の無線端末装置（携帯電話機、ＰＨＳ等）は、赤外線インタフェース１と、制御部２と、操作部６と、着信報知手段３と、第１のメモリ４と、第２のメモリ５とにより構成する。
【００２２】
着信報知手段３は、スピーカ、バイブレータ、発光ダイオードを含み、選択されて使用される。
【００２３】
赤外線インタフェース１は、オーディオ機器（テレビジョン、ラジオ、ステレオ機器、カセットテープ装置、ＤＶＤ装置を含む。以後、テレビジョンと記載する。）を操作する操作信号を赤外線により出力するリモコンから、赤外線によりこのテレビジョンの電源信号を受信して制御部２に出力する。
【００２４】
制御部２は、赤外線インタフェース１から電源信号を受け、着信報知手段３をユーザが予め設定した着信報知手段３（ここでは、バイブレータとする。以後、バイブレータと記載する。）から他の着信報知手段３（ここでは、スピーカとする。以後、スピーカと記載する。）に切り替える。切り替えた後に赤外線インタフェース１から電源信号を受け、着信報知手段３をスピーカからバイブレータに切り替える。
【００２５】
第１のメモリ４は、例えば書き換え可能なメモリであり、本無線端末装置が状態を検出するオーディオ機器の種類（テレビジョン、ラジオ、ステレオ機器、カセットテープ装置、ＤＶＤ装置等）とメーカー名を格納する。
【００２６】
第２のメモリ５は、例えば読み出し専用のメモリであり、電源信号等のリモコンが出力する操作信号のフォーマットをオーディオ機器の種類とこのオーディオ機器のメーカー名とに対応させて予め格納する。これらの格納は、予め本無線端末装置の購入時に販売業者により行われても、本無線端末装置の製造時に工場で行われても良い。
【００２７】
第１のメモリ４へ格納するオーディオ機器の種類とメーカー名は、例えば、この無線端末装置を使用するときに、使用者が操作部６を操作することにより格納する。
【００２８】
操作部６は、本無線端末装置のマンマシンインタフェースに相当し、本無線端末装置を操作する操作ボタンやＬＣＤ等の表示デバイス等を備える。
【００２９】
次に、本実施の形態の無線端末装置の動作を図２，図３及び図４を参照して詳細に説明する。
【００３０】
図２は、本発明の実施の形態の動作の一例を示すフローチャートである。
【００３１】
図３は、本発明の無線端末装置の使用する状態の一例を説明する図であり、テレビジョンを操作するリモコンから操作信号が赤外光でテレビジョンに送られるときに、この操作信号を無線端末装置が受けてテレビジョンの状態を検出している様子を示している。
【００３２】
図４は、リモコンの出力する操作信号のフォーマットの一例を示す図であり、カスタムコードは、メーカー毎、オーディオ機器毎（テレビジョン、ラジオ、ステレオ機器、カセットテープ装置、ＤＶＤ装置等）に異なる。
【００３３】
図１において、図２のステップ２１では、制御部２により、使用者が使用するテレビジョンのメーカー名が指定されているか否かを、第１のメモリ４にメーカー名が格納されているか否かを調べることにより調査する。調査結果がメーカー名が指定されていることを示すときにはステップ２３へ続ける。調査結果がメーカー名が指定されていないことを示すときにはステップ２２へ続ける。
【００３４】
図２のステップ２２では、使用者の操作部６への操作に従い、制御部２は、オーディオ機器の種類（ここでは、テレビジョン）とメーカー名とを第１のメモリ４へ格納する。
【００３５】
図２のステップ２３では、赤外線インタフェース１により、テレビジョンのリモコンから操作信号を受信したときに、この操作信号を制御部２に出力する。制御部２は、この操作信号を受け、第１のメモリ４に格納してあるオーディオ機器の種類とメーカー名とを取り出す。そして、このオーディオ機器の種類とメーカー名とに対応する操作信号フォーマットを第２のメモリ５より取り出す。次に、赤外線インタフェース１から受けた操作信号を第２のメモリ５より取り出した操作信号フォーマットにより解析する。すなわち、赤外線インタフェース１から受けた操作信号が操作信号フォーマット中の図４で示すデータコードにより何を示す信号かを解析する。そして、この解析結果がこの操作信号が電源信号であることを示すときに、ステップ２４へ続ける。
【００３６】
図２のステップ２４では、制御部２は着信報知手段３をバイブレータからスピーカに切り替える。
【００３７】
図２のステップ２５では、図２のステップ２３と同様に動作し、赤外線インタフェース１により、テレビジョンのリモコンから操作信号を受信したときに、この操作信号を制御部２に出力する。制御部２は、この操作信号を受け、第１のメモリ４に格納してあるオーディオ機器の種類とメーカー名とを取り出す。そして、このオーディオ機器の種類とメーカー名とに対応する操作信号フォーマットを第２のメモリ５より取り出す。次に、赤外線インタフェース１から受けた操作信号を第２のメモリ５より取り出した操作信号フォーマットにより解析する。すなわち、赤外線インタフェース１から受けた操作信号が操作信号フォーマット中の図４で示すデータコードにより何を示す信号かを解析する。そして、この解析結果がこの操作信号が電源信号であることを示すときに、ステップ２６へ続ける。
【００３８】
図２のステップ２６では、制御部２は着信報知手段３をスピーカからバイブレータに切り替える。
【００３９】
このようにすることにより、本発明によれば、オーディオ機器の電源のオン・オフを検出しこの検出結果により着信報知手段３を切り替えるため、無線端末装置の使用者がオーディオ機器を大音量で視聴していても使用者は無線端末装置への着信に気がつく。
【００４０】
図５は、本発明の無線端末装置の第２の実施の形態を示すブロック図である。
【００４１】
この第２の実施の形態の構成は第１の実施の形態の構成に集音部９を付加している。
【００４２】
図５に示す本実施の形態の無線端末装置は、赤外線インタフェース７と、制御部８と、操作部６と、着信報知手段３と、第１のメモリ４と、第２のメモリ５、集音部９とにより構成する。
【００４３】
図１で示す第１の実施の形態と同じ機能を有するものは同じ符号を付け、説明を省略している。
【００４４】
集音部９は、オーディオ機器の音を集音し音量レベルを出力する。この集音部９は例えば、マイクとＡ／Ｄ変換器とにより構成し、音量レベルをデジタル値にて出力する。
【００４５】
赤外線インタフェース７は、オーディオ機器（テレビジョン、ラジオ、ステレオ機器、カセットテープ装置、ＤＶＤ装置を含む。以後、テレビジョンと記載する。）を操作する操作信号を赤外線により出力するリモコンから、赤外線によりこの操作信号を受信して制御部８に出力する。
【００４６】
制御部８は、赤外線インタフェース７から操作信号を受け、この操作信号が音量調整信号のときに集音部９より音量レベルを取得し、この音量レベルが予め定めたレベルより大のときに着信報知手段３をユーザが予め設定した着信報知手段３（ここでは、バイブレータとする。以後、バイブレータと記載する。）から他の着信報知手段３（ここでは、スピーカとする。以後、スピーカと記載する。）に切り替える。このとき、スピーカで報知する着信音量を予め定めた大きさ（例えば、最大の音量）に設定する。また、集音部９が取得した音量レベルの大きさに比例した着信音量を設定する等、集音部９が取得した音量レベルに応じた着信音量を設定しても良い。
【００４７】
次に、本実施の形態の無線端末装置の動作を図６を参照して詳細に説明する。
【００４８】
図６は、本発明の実施の形態の動作の一例を示すフローチャートである。
【００４９】
図５において、図６のステップ６１では、制御部８により、使用者が使用するテレビジョンのメーカー名が指定されているか否かを、第１のメモリ４にメーカー名が格納されているか否かを調べることにより調査する。調査結果がメーカー名が指定されていることを示すときにはステップ６３へ続ける。調査結果がメーカー名が指定されていないことを示すときにはステップ６２へ続ける。
【００５０】
図６のステップ６２では、使用者の操作部６への操作に従い、制御部８は、オーディオ機器の種類（ここでは、テレビジョン）とメーカー名とを第１のメモリ４へ格納する。
【００５１】
図６のステップ６３では、赤外線インタフェース７により、テレビジョンのリモコンから操作信号を受信したときに、この操作信号を制御部８に出力する。制御部８は、この操作信号を受け、第１のメモリ４に格納してあるオーディオ機器の種類とメーカー名とを取り出す。そして、このオーディオ機器の種類とメーカー名とに対応する操作信号フォーマットを第２のメモリ５より取り出す。次に、赤外線インタフェース７から受けた操作信号を第２のメモリ５より取り出した操作信号フォーマットにより解析する。すなわち、赤外線インタフェース７から受けた操作信号が操作信号フォーマット中の図４で示すデータコードにより何を示す信号かを解析する。そして、この解析結果がこの操作信号が電源信号であることを示すときに、ステップ６５へ続ける。
【００５２】
図６のステップ６４では、赤外線インタフェース７により、テレビジョンのリモコンから操作信号を受信したときに、この操作信号を制御部８に出力する。制御部８は、この操作信号を受け、第１のメモリ４に格納してあるオーディオ機器の種類とメーカー名とを取り出す。そして、このオーディオ機器の種類とメーカー名とに対応する操作信号フォーマットを第２のメモリ５より取り出す。次に、赤外線インタフェース７から受けた操作信号を第２のメモリ５より取り出した操作信号フォーマットにより解析する。すなわち、赤外線インタフェース７から受けた操作信号が操作信号フォーマット中の図４で示すデータコードにより何を示す信号かを解析する。そして、この解析結果がこの操作信号が音量調整信号であることを示すときに、ステップ６５へ続ける。
【００５３】
図６のステップ６５では、制御部８は集音部９より音量レベルを取得する。
【００５４】
図６のステップ６６では、集音部９より取得した音量レベルの大きさを調べ、この音量レベルが予め定めたレベルより大のときにステップ６７へ続ける。集音部９より取得した音量レベルが予め定めたレベルより大でないときにステップ６８へ続ける。
【００５５】
図６のステップ６７では、着信報知手段３をバイブレータからスピーカに切り替える。このとき、スピーカで報知する着信音量を予め定めた大きさ（例えば、最大の音量）に設定する。また、集音部９が取得した音量レベルの大きさに比例した着信音量を設定する等、集音部９が取得した音量レベルに応じた着信音量を設定しても良い。そして、ステップ６４へと続ける。
【００５６】
図６のステップ６８では、着信報知手段３をバイブレータに設定するともに、着信音量を使用者が予め設定した音量に設定しステップ６４へと続ける。
【００５７】
このようにすることにより、本発明によれば、オーディオ機器が出力する音の音量レベルを検出しこの検出結果により着信報知手段３を切り替えるため、無線端末装置の使用者がオーディオ機器を大音量で視聴していても使用者は無線端末装置への着信に気がつく。
【００５８】
【発明の効果】
以上説明したように、本発明によれば、オーディオ機器の状態を検出しこの検出した状態に応じて着信の報知の仕方を変更するため、無線端末装置の使用者がオーディオ機器を大音量で視聴していても使用者は無線端末装置への着信に気がつく。
【図面の簡単な説明】
【図１】本発明の無線端末装置の第１の実施の形態を示すブロック図である。
【図２】本発明の実施の形態の動作の一例を示すフローチャートである。
【図３】本発明の無線端末装置の使用する状態の一例を説明する図である。
【図４】リモコンの出力する操作信号のフォーマットの一例を示す図である。
【図５】本発明の無線端末装置の第２の実施の形態を示すブロック図である。
【図６】本発明の実施の形態の動作の一例を示すフローチャートである。
【符号の説明】
１    赤外線インタフェース
２    制御部
３    着信報知手段
４    第１のメモリ
５    第２のメモリ
６    操作部
７    赤外線インタフェース
８    制御部
９    集音部
【図１】
2004179863.tif 000003
【図２】
2004179863.tif 000004
【図３】
2004179863.tif 000005
【図４】
2004179863.tif 000006
【図５】
2004179863.tif 000007
【図６】
2004179863.tif 000008